(57)【要約】【課題】優れた遮音性を発揮し、この遮音性を長期間維持でき、組立て作業性に優れるとともに簡単に製造することができ、処分も容易に行うことができる遮音パネル及び遮音壁を提供する。【解決手段】遮音パネル及び遮音壁は、音源側に向けられる一方の表面を構成する正面板と、正面板が固定され、音源側とは反対側の表面を構成する背面板と、を備える。正面板は、断面において一方の端部である正面板第１端部及び他方の端部である正面板第２端部が背面板に固定され、正面板第１端部と正面板第２端部との間の中央部が正面板第１端部及び正面板第２端部よりも背面板側に位置する曲面から形成された反射面を備える。【選択図】図１
2020070586.tif 000002
【特許請求の範囲】
【請求項１】
音源側に向けられる一方の表面を構成する正面板と、
前記正面板が固定され、前記音源側とは反対側の表面を構成する背面板と、を備え、
前記正面板は、
断面において一方の端部である正面板第１端部及び他方の端部である正面板第２端部が前記背面板に固定され、
前記正面板第１端部と前記正面板第２端部との間の中央部が前記正面板第１端部及び前記正面板第２端部よりも前記背面板側に位置する曲面から形成された反射面を備える、遮音パネル。
【請求項２】
前記反射面は、
断面において弧形状である、請求項１に記載の遮音パネル。
【請求項３】
前記背面板は、
平板を折り曲げて形成され、
断面において一方の端部である背面板第１端部及び断面において他方の端部である背面板第２端部は、
前記音源側に折り曲げられて、正面板取付部が形成されている、請求項１又は２に記載の遮音パネル。
【請求項４】
前記背面板は、
前記背面板第１端部と前記背面板第２端部との間に前記正面板側に向かう突出部を有し、
前記正面板の前記中央部は、
前記突出部の先端に当接する、請求項３に記載の遮音パネル。
【請求項５】
前記正面板の前記中央部は、
前記突出部に固定される、請求項４に記載の遮音パネル。
【請求項６】
請求項１〜５の何れか１項に記載の遮音パネルを上下方向に複数積み重ねて構成される、遮音壁。
【請求項７】
前記遮音パネルの上端面及び下端面は、
前記正面板から前記背面板に向かって下方に傾斜するように形成される、請求項６に記載の遮音壁。
【請求項８】
前記遮音パネルは、
下端部の前記正面板側の端部において、下方に突出するタブ部が形成される、請求項６又は７に記載の遮音壁。
【発明の詳細な説明】
【技術分野】
【０００１】
本発明は、道路や鉄道に設置される遮音パネル及び遮音壁の構造に関するものである。
【背景技術】
【０００２】
従来、騒音の抑制のために道路や鉄道などに沿って遮音壁が設置されている。遮音壁は、例えば道路においては、路肩に沿って壁状に設けられており、道路を走行する車両の走行に伴う騒音を道路の外部に漏れるのを抑制するものである。
【０００３】
鉄道の軌道に遮音パネルの吸音面を向けて設置されている遮音壁であって、吸音面の表面を多孔板、背面側を鋼板により構成された扁平ボックスの内部にグラスウールなどの吸音材を充填したものが知られている（例えば、特許文献１参照）。
【０００４】
道路や鉄道に設置される遮音壁であって、立設されたＨ形鋼に、箱枠内に吸音材を充填したパネル状の吸音板を上下に複数段重ねるようにして取り付けた遮音壁がある（例えば、特許文献２参照）。これらの遮音壁は、例えば、前面に多数の吸音孔が穿設された箱形状のパネルの内部にグラスウールや石綿、ポリエステル等の吸音材を内蔵したり、あるいは、ルーバー等でこれらを挟むようにしており、この吸音材に騒音を吸収させることによって、道路等を走行する車両の騒音を道路の外部に漏れるのを抑制する。
【先行技術文献】
【特許文献】
【０００５】
【特許文献１】特許第３６６０３３５号公報
【特許文献２】特開２００４−１３２０１８号公報
【発明の概要】
【発明が解決しようとする課題】
【０００６】
特許文献１や特許文献２の遮音壁は、吸音材によって騒音を吸収しようとしており、金属の板材により吸音材を正面側及び背面側から挟み込んで構成されているため、構造が複雑になり、製造も難しくコストが増加するという課題があった。
【０００７】
さらに、グラスウールや石綿、ポリエステル等の吸音材を用いた場合、これらは保水性があるため、雨水や雪の水分を吸収し、吸音性能が一時的に低下するという課題があった。また、この水分の吸収によって吸音材が劣化し、吸音性能を長期に渡って維持することが難しくなり、補修や交換などのメンテナンスを頻繁に行わなければならないという課題があった。
【０００８】
また、遮音壁が破損した場合には、吸音材を産業廃棄物として処分しなければならないため、処理コストも高くなるという課題があった。
【０００９】
本発明は、上記の課題を解決するためになされたものであり、優れた遮音性を発揮し、この遮音性を長期間維持でき、組立て作業性に優れるとともに簡単に製造することができ、処分も容易に行うことができる遮音パネル及び遮音壁を提供することを目的とする。
【課題を解決するための手段】
【００１０】
上記従来技術の課題を解決するための手段として、本発明に係る遮音パネルは、音源側に向けられる一方の表面を構成する正面板と、前記正面板が固定され、前記音源側とは反対側の表面を構成する背面板と、を備え、前記正面板は、断面において一方の端部である正面板第１端部及び他方の端部である正面板第２端部が前記背面板に固定され、前記正面板第１端部と前記正面板第２端部との間の中央部が前記正面板第１端部及び前記正面板第２端部よりも前記背面板側に位置する曲面から形成された反射面を備える。
【００１１】
本発明に係る遮音壁は、上記の遮音パネルを上下方向に複数積み重ねて構成される。
【発明の効果】
【００１２】
本発明によれば、曲面により形成された反射面に音源からの音波が反射することにより、騒音を拡散させ、遮音パネルの背面側に漏らすのを抑制する。また、遮音パネルは、音源側の正面板と背面側の背面板との簡易な構造であるため、遮音性も長期間維持することができ、製造及び処分も容易である。
【図面の簡単な説明】
【００１３】
【図１】実施の形態１に係る遮音壁の斜視図である。
【図２】実施の形態１に係る遮音壁の遮音パネルの断面構造の説明図である。
【図３】実施の形態１に係る遮音壁の騒音の反射の説明図である。
【図４】実施の形態１の比較例の遮音壁の騒音の反射の説明図である。
【発明を実施するための形態】
【００１４】
以下、図面を参照して、本発明の実施の形態について説明する。なお、各図中、同一または相当する部分には、同一符号を付して、その説明を適宜省略または簡略化する。また、各図に記載の構成について、その形状、大きさ、及び配置等は、本発明の範囲内で適宜変更することができる。
【００１５】
実施の形態１．
図１は、実施の形態１に係る遮音壁１００の斜視図である。遮音壁１００は、例えば高速道路や鉄道などの路側に立設されるものであり、道路や軌道を走行する車両から発生する騒音の音波が外部に漏れるのを抑制するものである。
【００１６】
遮音壁１００は、２本の支柱１の間に遮音パネル１０を取り付けて構成される。支柱１は、例えば断面がＨ型の鋼材であり、フランジ部２の間にウェブ部３が渡されている形状になっている。遮音パネル１０は、２つのフランジ部２の間に挿入されて支柱１に取り付けられる。遮音パネル１０は、２つの支柱１の間に複数積み重ねられて１枚の遮音壁１００を構成する。図１に示される遮音壁１００は、２つの支柱１の間に複数の遮音パネル１０を取り付けて構成されたものを示しているが、実際には高速道路や鉄道の軌道に沿って連続して複数設置されるものである。実施の形態１においては、遮音壁１００が道路の路側に設置された場合を例にして説明する。
【００１７】
（正面板２０）
図２は、実施の形態１に係る遮音壁１００の遮音パネル１０の断面構造の説明図である。遮音パネル１０は、道路側を向いた表面を形成する正面板２０と、道路とは反対側を向いた表面を形成する背面板３０とを組み合わせて形成される。正面板２０は、断面における一方の端部である上端部２１と他方の端部である下端部２２との間に反射面２３を備える。上端部２１と下端部２２とは、平面に形成されており、背面板３０に設けられた上側取付部３１及び下側取付部３２に固定される。正面板２０と背面板３０との固定は、例えばブラインドリベットにより行われるが、その他にボルト締結などにより固定を行っても良い。なお、正面板２０の上端部２１は、正面板第１端部と称し、正面板２０の下端部２２は正面板第２端部と称する場合がある。また、背面板３０の上側取付部３１及び下側取付部３２は、正面板取付部と称する場合がある。
【００１８】
正面板２０の上端部２１は、上側取付部３１の上端で背面側に折り返され背面板３０の上面部３６の上に載るように組み合わされている。また、正面板２０の下端部２２は、背面板３０の下側取付部３２の下端で背面側に折り返され、下側取付部３２の下端を抱き込むように組み合わされている。遮音パネル１０の上端部で、正面板２０と背面板３０とが組み合わされている部分を上部折り返し部１５と称する。遮音パネル１０の下端部で正面板２０と背面板３０とが組み合わされている部分を下部折り返し部１６と称する。この構成により、遮音パネル１０は、上端部と下端部とで雨水等の浸入が抑制され、空洞部１３、１４内で正面板２０及び背面板３０が腐蝕するリスクが減少する。また、正面板２０は、反射面２３に開口が形成されていないため、空洞部１３、１４への水の浸入が抑制されている。
【００１９】
反射面２３は、断面において道路側を向いた表面が曲面となっており、円弧形状により形成されている。つまり、正面板２０は、上端部２１と下端部２２との間に、中心軸が音源側に位置する円筒面として形成されている。正面板２０の中央部２４は、背面板３０に設けられた突出部３５の先端面３４に当接している。正面板２０の中央部２４は、突出部３５の先端面３４と当接し、例えばブラインドリベットなどの固定部材、又は溶接などの固定手段により固定されていても良い。なお、反射面２３は、断面形状において正面板２０の表面が円弧形状となっている円筒面以外に、断面形状において正面板２０の表面が楕円弧形状又はその他の曲線で形成された曲面であっても良い。
【００２０】
（背面板３０）
背面板３０は、鋼板を折り曲げて形成されている。背面板３０の上端部及び下端部は、正面板２０側に折り曲げられて突出し、上面部３６と下面部３７とが形成されている。上面部３６と下面部３７とは、遮音パネル１０の上端面および下端面を構成し、遮音パネル１０が上下に積み重ねられた時に形状が組み合わさるように、背面側から正面側に向かうに従い上方向に傾斜している。上面部３６と下面部３７とは、先端に正面板２０側を向いた平坦な面が形成されており、正面板取付部となっている。正面板２０が背面板３０の正面板取付部に固定されることにより、正面板２０は板厚の薄い材料で構成することができ、また、遮音パネル１０が簡単な構造により構成され製造も容易になる。なお、背面板の上端部を背面板第１端部と称し、下端部を背面板第２端部と称する場合がある。
【００２１】
背面板３０は、遮音パネル１０の背面側の表面を構成している背面部３８を備える。背面部３８は、全体的に平板形状であるが中央に正面板２０側に向かう突出部３５を有する。突出部３５は、正面板２０側に向かって傾斜して延びる２つの斜面部３３を有し、斜面部３３の先端に平坦な面が形成され、その面に正面板２０の中央部２４が当接している。正面板２０の中央部２４と背面板３０の突出部３５との当接部は、ブラインドリベット等により固定されることが望ましい。正面板２０は、薄い鋼板により構成されているため、剛性が低く、風等の影響により振動する場合がある。正面板２０の中央部２４が背面板３０の突出部３５に固定されることにより、剛性が低い正面板２０の中央部２４が立体的に成形された剛性の高い背面板３０の突出部３５と一体化されるため、正面板２０の反射面２３の振動の発生を抑えることができる。なお、正面板２０の板厚が厚く剛性が高い場合には、必ずしも正面板２０の中央部２４を固定する必要はない。
【００２２】
正面板２０及び背面板３０は、厚さを０．２５ｍｍ〜３．２ｍｍの間に設定することができる。例えば、正面板２０の板厚は０．６ｍｍとし、背面板３０の板厚は１．６ｍｍとして構成することができる。正面板２０及び背面板３０の材質は、例えば黒ＺＡＭ（登録商標）等の表面の意匠性が高く、耐食性に優れためっき鋼板を適用するのが好ましい。正面板２０及び背面板３０は、ＺＡＭ鋼板以外にも耐食性に優れためっき鋼板を用いても良い。
【００２３】
また、従来の遮音壁として用いられている統一板（標準型）と呼ばれる標準的な遮音パネルは、開口が設けられた正面板と背面板とを組み合わせ、内部に吸音部材を備える。この従来の遮音パネルは、正面板の材質としてアルミが用いられ、背面板の材質としてめっき鋼板が用いられている。このような異種金属を組み合わせた場合、正面板と背面板との接触部で腐食が生じる場合がある。これに対し、実施の形態１に係る遮音パネル１０においては、正面板２０及び背面板３０に同じ材質を用いているため、異種金属接触による腐食のリスクが減少する。ただし、遮音パネル１０は、同種金属のみで構成されるものに限定されず、異種金属を材質とする部材を含んでいても良い。
【００２４】
（遮音壁１００の作用）
図３は、実施の形態１に係る遮音壁１００の騒音の反射の説明図である。遮音壁１００は、道路などの路側に立設されており、道路９１を走行する車両９０の走行音や排気音などの騒音を外部に漏れるのを抑制する。つまり、図３において、遮音壁１００は、遮音壁１００の背面側の領域に道路側からの音波が届きにくくする働きがある。遮音パネル１０は、２つの支柱１の間に複数積み重ねられて遮音壁１００を構成する。遮音パネル１０の下端部の道路９１側には、下方に延びるタブ部１２（図２参照）が形成されており、上下の遮音パネル１０同士の間の隙間を塞ぐ様に構成されている。
【００２５】
遮音壁１００の各遮音パネル１０は、道路側に正面板２０の反射面２３を向けて設置されている。図３に示される各矢印は、車両から発生する騒音の音波を模式的に表している。音源Ｐからの音波は、音源Ｐを中心として全方向に拡散する。遮音壁１００側に進んだ音波は、各遮音パネル１０の正面板２０に当たり入射した各点において入射角と同じ角度で反射される。例えば、最も道路９１の表面に近い位置に配置されている遮音パネル１０Ａの反射面２３Ａに反射された音波は、概ねそのまま音源Ｐに向かって進むように反射される。これらの反射した音波は、道路９１の表面や道路を走行する車両に反射したり、又は道路の反対側の遮音壁１００に当たり、反射を繰り返して徐々に減衰する。各遮音パネル１０は、音波を反射するものであり、背面板３０と正面板２０とにより囲まれた空間は、空洞部１３、１４が形成されている。空洞部１３、１４には、吸音材などの充填物を設置する必要がなく、遮音パネル１０は、簡易な構成で耐久性も高い。
【００２６】
また、中段に配置されている遮音パネル１０Ｂの反射面２３Ｂは、音源Ｐよりも上方に位置するため、反射された音波は、概ね上方に向かって反射される。しかし、各点において反射される方向は、反射面２３Ｂの円筒面により分散して反射される。さらに上段に配置されている遮音パネル１０Ｃにおいても同様に、音源Ｐから出た音波の反射される方向は、概ね上方に向かって反射されるが、各点において反射される方向は反射面２３Ｃの円筒面により分散して反射される。例えば、反射面２３Ｃの下部において反射される方向は、真上に近い方向であるが、反射面２３Ｃの上部において反射される方向は、水平に近い方向である。
【００２７】
図４は、実施の形態１の比較例の遮音壁１１００の騒音の反射の説明図である。比較例の遮音壁１１００の表面は、道路９１の表面に対して垂直で平らな面になっている。従って、音源Ｐより出た音波は、音源Ｐから上方の各点においては上方に向かって反射され、音源Ｐから下方の各点においては下方に向かって反射される。
【００２８】
遮音壁１００、１１００は、例えば道路９１の路側において走行する車両よりも高い位置まで設置されているが、通常道路９１の上方の空間は開放されている。従って、道路９１の側方に進む音源Ｐからの音波は、遮音壁１００、１１００に当たり反射されるため、遮音壁１００、１１００の背面側の領域には直接音波が届かない。しかし、音源Ｐから直接上方、斜め上方に進む音波は、遮音壁１００、１１００の上を越えて道路９１の外部に漏れる。従って、遮音壁１００、１１００の上を越えて道路９１の外部に出る音波が多いと、遮音効果が低いということが言える。これは、音源Ｐから直接遮音壁１００、１１００の上を越える音波だけでなく、反射して遮音壁１００、１１００の上を越える音波が多い場合も遮音効果が低いことになる。
【００２９】
比較例に係る遮音壁１１００においては、反射した音波は、それぞれほぼ同じ方向に揃って反射されるため、騒音は路側に設置された遮音壁１１００の上方を越えて道路の外部に漏れやすい。例えば、図４に示される音源Ｐよりも上側の領域で遮音壁１１００に反射された音波は、それぞれ拡散されることなくほぼ同じ方向に進んでいる。従って、音源Ｐを同時に出た音波は、反射して道路９１の上方の開放された部分から道路外にほぼ同時に出ることになる。
【００３０】
一方、実施の形態１に係る遮音壁１００においては、反射した音波は、反射した位置に応じて上下の各方向に分散して反射される。そのため、遮音壁１００の上方を越えて道路の外部に同時に漏れる音波の量が、比較例の遮音壁１１００よりも少ない。なお、図３及び図４においては、一点の音源Ｐから発する音波のみを表示しているが、実際には、道路９１の様々な位置から騒音が生じうる。実施の形態１に係る遮音壁１００は、音源Ｐがどの高さに位置していても、各遮音パネル１０において音波は分散して反射される。そのため、実際の道路９１における音源においても、比較例に係る遮音壁１１００よりも遮音壁１００の方が、遮音壁１００を越えて道路９１外に出る音波の量が少ないと言える。特に、遮音パネル１０の反射面２３は、道路側から凹んだ凹曲面を備えるため、上記のように音波を反射して拡散させつつ、道路側に突出しないため、設置スペースも少なくて済む。
【００３１】
以上に本発明を実施の形態に基づいて説明したが、本発明は上述した実施の形態の構成のみに限定されるものではない。例えば、反射面２３は、断面が円弧形状だけでなく、楕円弧、放物線、又は双曲線、若しくはそれらに近似した形状であっても良い。また、遮音パネル１０は、正面板２０と背面板３０との２部品の組み合わせにより構成されているが、一体に構成されていても良いし、更に多くの部材を組み合わせて構成されていても良い。要するに、いわゆる当業者が必要に応じてなす種々なる変更、応用、利用の範囲をも本発明の要旨（技術的範囲）に含むことを念のため申し添える。
【符号の説明】
【００３２】
１  支柱、２  フランジ部、３  ウェブ部、１０  遮音パネル、１０Ａ  遮音パネル、１０Ｂ  遮音パネル、１０Ｃ  遮音パネル、１２  タブ部、１３  空洞部、１４  空洞部、１５  上部折り返し部、１６  下部折り返し部、２０  正面板、２１  上端部、２２  下端部、２３  反射面、２３Ａ  反射面、２３Ｂ  反射面、２３Ｃ  反射面、２４  中央部、３０  背面板、３１  上側取付部、３２  下側取付部、３３  斜面部、３４  先端面、３５  突出部、３６  上面部、３７  下面部、３８  背面部、９０  車両、９１  道路、１００  遮音壁、１１００  遮音壁、Ｐ  音源。
【図１】
2020070586.tif 000003
【図２】
2020070586.tif 000004
【図３】
2020070586.tif 000005
【図４】
2020070586.tif 000006